(57)【要約】【課題】操作板の取付にあたって、操作板を上下逆とした場合に、係脱部材の操作板を容器前側壁に設けた案内孔に嵌挿することができないようにし、取付不良をなくした開閉蓋の係脱部材を提供すること。【解決手段】容器本体と中枠、開閉蓋とからなり、容器本体と中枠との間に、蓋係脱機構を配設したコンパクトであって、蓋係脱機構が、容器本体に設けられた案内孔と案内リブとからなる案内部材と、係脱部材とからなり、係脱部材が、案内孔に嵌挿され案内リブに案内される操作板と、掛け止めフックを設けた掛け止め杆と、操作板と掛け止め杆を連結し、上面に係止リブを設けた連結片とからなっていることを特徴とする。【選択図】　　　　図１
2004057715.tif 000002
【特許請求の範囲】
【請求項１】
容器本体と中枠、開閉蓋とからなり、容器本体と中枠との間に、蓋係脱機構を配設したコンパクトであって、
蓋係脱機構が、容器本体に設けられた案内孔と案内リブとからなる案内部材と、係脱部材とからなり、
係脱部材が、案内孔に嵌挿され案内リブに案内される操作板と、掛け止めフックを設けた掛け止め杆と、操作板と掛け止め杆を連結し、上面に係止リブを設けた連結片とからなっていることを特徴とするコンパクトの開閉蓋係脱機構。
【発明の詳細な説明】
【０００１】
【発明の属する技術分野】
本発明は、コンパクト、とくに開閉蓋を具えたコンパクトの開閉蓋係脱機構に関する。
【０００２】
【従来の技術】
開閉蓋を蝶番によって容器本体に開閉自在に取着したコンパクトにおいて、容器本体に、開閉蓋に設けた係止フックに係合する掛け止めフックを具えた係脱部材を摺動自在に取着したコンパクトは従来より周知であり、その一例として、図６に示すような開閉蓋係脱機構が知られている。
【０００３】
図６において、Ａａは容器本体、Ｂａは容器本体Ａａに取着された中枠、Ｃａは蝶番によって容器本体Ａａに取着された開閉蓋、Ｄａは蓋係脱機構である。
蓋係脱機構Ｄａは、案内部材Ｄ１ａと係脱部材Ｄ２ａとからなっており、中枠Ｂａの下面に配設されている。
【０００４】
案内部材Ｄ１ａは、容器本体Ａａの前側壁に設けられた案内孔４０と案内孔４０に連設された一対の案内リブ４１とからなっており、係脱部材Ｄ２ａは、案内孔４０に嵌挿され、案内リブ４１によって案内される外方に付勢された操作板４２と、操作板４２に連設され、掛け止めフック４３を具えた掛け止め杆４４とからなっている。
【０００５】
中枠Ｂａには、掛け止めフック４３の上方に開口５０が穿孔され、開閉蓋Ｃａの閉蓋時に開閉蓋Ｃａに設けた係止フック５１が嵌挿され、掛け止めフック４３に係合されるようになっている。
【０００６】
【発明が解決しようとする課題】
上記従来のコンパクトの組立にあたって、まず、容器本体Ａａに蓋係脱機構Ｄａを組み込み、次いで中枠Ｂａを容器本体Ａａに取着し、開閉蓋Ｃａを取着することによって組み立てられる。
【０００７】
蓋係脱機構Ｄａの取着にあたっては、操作板４２を内側から案内孔４０に嵌挿して、斜め上から案内リブ４１に摺接させながら装着しているが、操作板４２の上下を逆にした場合に、操作板４２を強く押し込むことによって掛け止め杆４４まで案内リブ４１上に押し込むことができるので、時には、操作板４２の上下を逆とし、掛け止めフック４３、掛け止め杆４４を下方にしたままで、係脱部材Ｄ２ａが取り付けられることがあった。
【０００８】
そのために、取付けにあたって注意が必要になり、そのままコンパクトを組み立てると、開閉蓋Ｃａの開閉時、係止フック５１の係脱ができないという不良品となるので、係脱部材Ｄ２ａの取付けの後に操作板４２が正確に取付けられているか否か検査しなけれはならず、その検査工程を必要とした。
【０００９】
本発明は、上記の問題点を解決することを課題とし、上下逆とした場合には、係脱部材の操作板を容器前側壁に設けた案内孔に嵌挿することができないようにし、取付不良をなくした開閉蓋の係脱部材を提供することを目的とする。
【００１０】
【課題を解決するための手段】
本発明は、上記の課題を解決するため、コンパクトの開閉蓋係脱機構として、容器本体と中枠、開閉蓋とからなり、容器本体と中枠との間に、蓋係脱機構を配設したコンパクトであって、蓋係脱機構が、容器本体に設けられた案内孔と案内リブとからなる案内部材と、係脱部材とからなり、係脱部材が、案内孔に嵌挿され案内リブに案内される操作板と、掛け止めフックを設けた掛け止め杆と、操作板と掛け止め杆を連結し、上面に係止リブを設けた連結片とからなっていることを特徴とする構成を採用する。
【００１１】
【発明の実施の形態】
次に、本発明コンパクトの実施形態について、図面を参照して説明する。
図１において、Ａは容器本体、Ｂは中枠、Ｃは容器本体Ａに蝶番を介して取着された開閉蓋、Ｄは蓋係脱機構である。
容器本体Ａは、底壁１と側周壁２とからなり、前側壁３に沿って開閉蓋Ｃを係止する蓋係脱機構Ｄが配設されており、後側壁４には、切欠部５が設けられ、蝶番受け部６が形成されている。
【００１２】
中枠Ｂは、図２に示すように、化粧皿収納部７とパフ収納部８と側周壁２上面に載置接合された上壁９とを具えている。
上壁９の前方板１０には開口１１が穿設されており、後方板１２には、容器本体Ａの切欠部５と同形の切欠部５ａが設けられている。
【００１３】
開閉蓋Ｃは、図１，２に示すように、頂壁１５と頂壁１５周縁より下方に突出する側縁部１６とを具えており、側縁部１６の後方側１７には、頂壁１５から蝶番受け部６内に嵌挿される軸受け１８が垂設されている。
軸受け１８には、軸受け孔１９が穿孔され、容器本体Ａに枢支された軸ピン２０が嵌挿されるとともに、開閉蓋Ｃを開放させるよう付勢するばね（図示しない）が装着されており、軸ピン２０、軸受け１８等によって蝶番が構成されている。
【００１４】
頂壁１５の裏面中央には、鏡面２１が設置されており、頂壁１５の軸受け１８の反対側には、中枠Ｂの開口１１内に挿入される係止フック２２が垂設されている。
【００１５】
図２〜５に示すように、蓋係脱機構Ｄは、容器本体Ａの底壁１と中枠Ｂの上壁９との間に配設され、前側壁３に沿って設けられた案内部材Ｄ１と、案内部材Ｄ１に摺動自在に取着された係脱部材Ｄ２とからなっている。
【００１６】
図３に示すように、案内部材Ｄ１は、前側壁３中央に設けられた案内孔２５と、案内孔２５の下面に続き底壁１に立設された一対の案内リブ２６ａ，２６ｂ、案内孔２５の両側に設けられた案内板２７ａ，２７ｂとを具えている。
案内板２７ａ，ｂから左右に一定距離隔てた位置に、前側壁３から内方に延び案内リブ２６ａ，ｂとほぼ同じ高さのリブ２８ａ，２８ｂと、それぞれのリブ２８ａ，２８ｂに直交して連設されるばね受け板２９ａ，２９ｂが底壁１に立設されている。
【００１７】
図４に示すように、係脱部材Ｄ２は、操作板３０と、操作板３０の左右端から内方に延びる連結片３１ａ，３１ｂの端部を結び中央部に掛け止めフック３２を設けた掛け止め杆３３とを具えており、連結片３１ａ，３１ｂ上面には、ほぼ操作板３０上に位置して所定長さの係止リブ３４ａ，３４ｂが設けられている。
操作板３０の内方縁に沿って、横方向に延びるばね板３５ａ，３５ｂが連設されており、ばね板３５ａ，ｂの先端部には、ばね受け板２９ａ，ｂに弾接する係合部３６ａ，３６ｂが設けられており、操作板３０とばね受け板２９ａ，ｂとの間で、操作板３０が前側壁３から突出するように付勢される。
【００１８】
次いで、コンパクトの組立について説明する。
コンパクトは、まず、容器本体Ａに蓋係脱機構Ｄが装着され、次いで、中枠Ｂを容器本体Ａに取り付け、開閉蓋Ｃを蝶番を介して取り付けることによって組み立てられる。
【００１９】
係脱部材Ｄ２の取り付けは、操作板３０を案内リブ２６ａ，ｂに乗せ、容器前側壁３に設けた案内孔２５に内側斜上から押し込んでいくと、図５に示すように、ばね板３５の係合部３６ａ，ｂがばね受け板２９ａ，ｂをのり越え、ばね板３５の根本部が案内板２７ａ，ｂに接合するまで押し込まれる。
【００２０】
その際、係脱部材Ｄ２が上下逆におかれると、係止リブ３４ａ，ｂが下方になるので、案内リブ２６ａ，ｂによって係止リブ３４ａ，ｂの部分が上方に持ち上げられ、操作板３０が大きく傾斜するので、操作板３０を案内孔２５に押し込むことができなくなる。
したがって、係脱部材Ｄ２は、上下正確に位置していないと取り付けられないので、取付不良をなくすことができる。
【００２１】
コンパクトの使用にあたっては、開閉蓋Ｃを閉じると、開閉蓋Ｃの係止フック２２が掛け止めフック３２の上面に係合して、係止フック２２と掛け止め杆３３をばね板３５の作用に抗して内側に押しやり、係止フック２２がさらに下降されると、係止フック２２の下面が掛け止めフック３２の突出端を乗り越え、ばね板３５によって操作板３０、掛け止め杆３３が外方に付勢され、係止フック２２と掛け止めフック３２との係止状態を維持する。
【００２２】
コンパクトの開放にあたって、操作板３０を内方に押すと、係脱部材Ｄ２が押され、掛け止めフック３２が開閉蓋Ｃの係止フック２２との係合から外れ、開閉蓋Ｃは蝶番のばねによって自然に廻動し、開くことができる。
【００２３】
前記実施形態では、連結片の上に係止リブを設け、上下逆にした場合に、容器底壁の案内リブに係合するようにしたが、係止リブを二つの案内リブに係止する横方向に延びるくさび状の突条としてもよく、また、案内リブを操作板３０を摺動案内する板状体としてもよい。
係止リブ、案内リブの形状については、実施形態のものに限定されない。
【００２４】
【発明の効果】
本発明は、上記のように構成されているから、次の効果を奏する。
容器本体に設けられた案内孔と案内リブとからなる案内部材と、案内孔に嵌挿され案内リブに案内される操作板と、掛け止めフックを設けた掛け止め杆と、操作板の左右端縁と掛け止め杆を連結する連結片とからなる係脱部材とを具えた開閉蓋の係脱機構において、連結片上面に係止リブを立設しているので、上下を逆にして押し込むことができず、不良品の発生をなくすことができた。
【図面の簡単な説明】
【図１】本発明のコンパクトの縦断面図である。
【図２】コンパクトの斜視図である。
【図３】容器本体の斜視図である。
【図４】係脱部材の説明図で、（ａ）は正面図、（ｂ）は上面図、（ｃ）は側面断面図である。
【図５】蓋係脱機構の取付説明図である。
ある。
【図６】従来のコンパクトの縦断面図である。
【符号の説明】
Ａ、Ａａ　　　容器本体
Ｂ、Ｂａ　　　中枠
Ｃ、Ｃａ　　　開閉蓋
Ｄ、Ｄａ　　　蓋係脱機構
Ｄ１、Ｄ１ａ　案内部材
Ｄ２、Ｄ２ａ　係脱部材
１　　　　　　底壁
２　　　　　　側周壁
３　　　　　　前側壁
４　　　　　　後側壁
７　　　　　　化粧皿収納部
８　　　　　　パフ収納部
９　　　　　　上壁
１０　　　　　前方板
１１、５０　　開口
１２　　　　　後方板
１５　　　　　頂壁
１６　　　　　側縁部
２２、５１　　係止フック
２５、４０　　案内孔
２６ａ，ｂ、４１　案内リブ
２７ａ，ｂ　　案内板
２８ａ，ｂ　　リブ
２９ａ，ｂ　　ばね受け板
３０、４２　　操作板
３１ａ，ｂ　　連結片
３２、４３　　掛け止めフック
３３、４４　　掛け止め杆
３４ａ，ｂ　　係止リブ
３５ａ，ｂ　　ばね板
３６ａ，ｂ　　係合部
【図１】
2004057715.tif 000003
【図２】
2004057715.tif 000004
【図３】
2004057715.tif 000005
【図４】
2004057715.tif 000006
【図５】
2004057715.tif 000007
【図６】
2004057715.tif 000008